(57)【要約】【課題】廃棄物収容袋内の水が周囲に飛び散らないように廃棄物収容袋内の水を抜くことができる廃棄物収容袋の水抜装置を提供する。【解決手段】廃棄物が収容された廃棄物収容袋の底に孔を開けて廃棄物収容袋内の水を抜く廃棄物収容袋の水抜装置であって、廃棄物収容袋の底が載置される載置部２と、載置部２より上方に突出するように設けられた穿孔手段４と、載置部２に形成された排水孔と、を備え、穿孔手段４によって廃棄物収容袋の底に穿孔された孔より流れる水が排水孔を介して排水されるように構成されたことを特徴とする。【選択図】図１
2019018125.tif 000002
【特許請求の範囲】
【請求項１】
廃棄物が収容された廃棄物収容袋の底に孔を開けて廃棄物収容袋内の水を抜く廃棄物収容袋の水抜装置であって、
廃棄物収容袋の底が載置される載置部と、
載置部より上方に突出するように設けられた穿孔手段と
載置部に形成された排水孔と、を備え、
穿孔手段によって廃棄物収容袋の底に穿孔された孔より流れる水が排水孔を介して排水されるように構成されたことを特徴とする廃棄物収容袋の水抜装置。
【請求項２】
穿孔手段は、載置部より上方に突出するように設けられた支持部と、支持部の上部に設けられた先鋭部とを備え、
支持部が周囲に強制排水孔を備えた中空部材により形成され、
穿孔手段の先鋭部によって廃棄物収容袋の底に穿孔された孔を貫通して廃棄物収容袋内に侵入した支持部の強制排水孔を介して廃棄物収容袋内の水を強制排水する強制排水手段を備えたことを特徴とする請求項１に記載の廃棄物収容袋の水抜装置。
【請求項３】
載置部の周囲より立ち上がるように設けられて、載置部に載置される廃棄物収容袋の下側の周囲を囲む周壁を備えたことを特徴とする請求項１又は請求項２に記載の廃棄物収容袋の水抜装置。
【発明の詳細な説明】
【技術分野】
【０００１】
本発明は、廃棄物が収容された廃棄物収容袋内の水を抜く廃棄物収容袋の水抜装置に関する。
【背景技術】
【０００２】
放射能に汚染された廃棄物等を収容した廃棄物収容袋（フレキシブルコンテナバッグ（Flexible Containers））を破袋して廃棄物収容袋内の廃棄物を排出する廃棄物収容袋の破袋装置が知られている（特許文献１参照）。
当該廃棄物収容袋の破袋装置は、漏斗状の本体の中央上方に穿頭金具を備えるとともに穿頭金具の下方斜めに連続する切断金具を備え、かつ、本体の下方には金網が配置された構成である。
そして、廃棄物を収容した廃棄物収容袋を本体上から降下させることによって、穿頭金具が廃棄物収容袋の底部を突き破った後、廃棄物収容袋の底部が切断金具で切断されることにより、廃棄物収容袋内に収容されていた廃棄物が自重で排出される。
【先行技術文献】
【特許文献】
【０００３】
【特許文献１】特開２０１５−８５２１２号公報
【発明の概要】
【発明が解決しようとする課題】
【０００４】
しかしながら、上述した廃棄物収容袋の破袋装置では、廃棄物収容袋の底部が空中で穿頭金具により突き破られた後に切断金具で切断されるので、放射能等で汚染された廃棄物収容袋内に汚染水等の水が周囲に飛び散るという問題があった。
【０００５】
本発明は、廃棄物収容袋内の水が周囲に飛び散らないように廃棄物収容袋内の水を抜くことができる廃棄物収容袋の水抜装置を提供するものである。
【課題を解決するための手段】
【０００６】
本発明に係る廃棄物収容袋の水抜装置は、廃棄物が収容された廃棄物収容袋の底に孔を開けて廃棄物収容袋内の水を抜く廃棄物収容袋の水抜装置であって、廃棄物収容袋の底が載置される載置部と、載置部より上方に突出するように設けられた穿孔手段と載置部に形成された排水孔と、を備え、穿孔手段によって廃棄物収容袋の底に穿孔された孔より流れる水が排水孔を介して排水されるように構成されたので、廃棄物収容袋内の水が周囲に飛び散らないように廃棄物収容袋内の水を抜くことができるようになる。
また、穿孔手段は、載置部より上方に突出するように設けられた支持部と、支持部の上部に設けられた先鋭部とを備え、支持部が周囲に強制排水孔を備えた中空部材により形成され、穿孔手段の先鋭部によって廃棄物収容袋の底に穿孔された孔を貫通して廃棄物収容袋内に侵入した支持部の強制排水孔を介して廃棄物収容袋内の水を強制排水する強制排水手段を備えたので、廃棄物収容袋内の水の排水を速く行えるようになり、排水処理効率の良い水抜装置となる。
また、載置部の周囲より立ち上がるように設けられて、載置部に載置される廃棄物収容袋の下側の周囲を囲む周壁を備えたので、廃棄物収容袋の穿孔された孔から流出した水が周壁の外側には飛散しないようになる。
【図面の簡単な説明】
【０００７】
【図１】水抜装置を示す斜視図。
【図２】水抜装置を示す平面図。
【図３】穿孔手段を示す図。
【図４】図２のＡ−Ａ断面図。
【発明を実施するための形態】
【０００８】
図１に示すように、実施形態に係る廃棄物収容袋の水抜装置１は、廃棄物収容袋１０の底が載置される載置部２と、載置部２の周囲より立ち上がるように設けられて、載置部２に載置される廃棄物収容袋１０の下側の周囲を囲む周壁３と、載置部２より上方に突出するように設けられた複数の穿孔手段４；４…と、載置部２に形成された排水孔５と、強制排水手段６とを備える。
【０００９】
穿孔手段４は、載置部２より上方に突出するように設けられた支持部４１と、支持部４１の上部に設けられた先鋭部４２とを備える。
図３に示すように、支持部４１は、周囲に複数の強制排水孔４３；４３…を備えた断面円形又は断面角形の中空部材により形成される。
複数の強制排水孔４３；４３…は、中空の支持部４１の周面に間欠的に設けられて支持部４１の外部と支持部４１の内部とに貫通する複数の貫通孔により形成されるものであり、例えば、支持部４１の上下方向に延長する貫通孔が支持部４１の周方向に沿って所定間隔隔てて複数設けられた構成であったり、あるいは、支持部４１の周方向に沿って延長する貫通孔が支持部４１の上下方向に沿って所定間隔隔てて複数設けられた構成である。
【００１０】
先鋭部４２は、支持部４１に対して着脱可能に構成され、交換可能に構成されている。
例えば、支持部４１の上端側には図外のねじ部（雌ねじ又は雄ねじ）が設けられ、先鋭部４２の下端側には支持部４１の上端側に形成されたねじ部（雌ねじ又は雄ねじ）に螺合する図外のねじ部（雌ねじ又は雄ねじ）が設けられており、これらねじ部同士のねじ結合により、支持部４１の上端側と先鋭部４２の下端側とが着脱可能な構成となっている。
【００１１】
支持部４１の下端とポンプ等の強制排水装置６１とが強制排水管６２を介して連結されている。
例えば、支持部４１の下端側には図外のねじ部（雌ねじ又は雄ねじ）が設けられ、強制排水管６２の一端側には支持部４１の下端側に形成されたねじ部（雌ねじ又は雄ねじ）に螺合する図外のねじ部（雌ねじ又は雄ねじ）が設けられており、これらねじ部同士のねじ結合により、支持部４１の下端側と強制排水管６２の一端側とが着脱可能な構成となっている。
【００１２】
載置部２は、図４に示すように、地面や床等の設置面１１に設置される設置板２１と、設置板２１の上方に空間を隔てて設置される中間板２２と、中間板２２の上方に空間を隔てて設置されて廃棄物収容袋１０が載置される載置板２３とを備えて構成される。
例えば四角形の中間板２２は、例えば四角形の設置板２１の４辺側の板面より上方に突出して当該辺に沿って延長するように設けられた支持板２４（図４参照）によって支持され、中間板２２の板面と設置板２１の板面とが互いに所定の間隔を隔てて平行を維持するように配置される。
【００１３】
周壁３は、中間板２２の上面における周囲から上方に立ち上がるように設けられ、載置板２３の上面により形成された載置面２５に載置される廃棄物収容袋１０の下側の周囲を囲むように構成されている。
周壁３は、上端３ｔで囲まれた上端開口側が拡開した構成となっている。
例えば、載置面２５から周壁３の上端３ｔまでの高さｔは、例えば５０ｃｍ程度とされ、仮に、廃棄物収容袋１０の穿孔された孔から流出した水が載置面２５に衝突して跳ね返ったとしても、当該水が周壁３により周壁３の外側には飛散しないように構成されている。
【００１４】
また、中間板２２の上方に配置される載置板２３は、周縁が周壁３の内面に溶接などで接続されることにより、載置板２３の板面と中間板２２の板面とが所定の間隔を隔てて配置設される。
【００１５】
載置板２３の上面により形成される載置面２５は、周辺側から中心部に向けて傾斜して下る傾斜勾配を持った面に形成されていて、廃棄物収容袋１０の底に穿孔された孔から流れ出す汚染水が、載置板２３の中心部に形成された上側排水孔５１に流下するように構成されている。
例えば、載置面２５は、中心部が角錐又は円錐の頂点となるように窪んだ角錐面又は円錐面に形成されており、周壁３が、当該載置面２５を囲む角筒状又は円筒状に形成れている。
【００１６】
図２；図４に示すように、載置面２５の中心部には、載置板２３を貫通する上述した上側排水孔５１が形成され、かつ、図２に示すように、当該載置面２５の中心を中心とする円弧Ｒ上に所定間隔を隔てて複数の穿孔手段設置孔４５；４５…が形成されている。
載置板２３を貫通する複数の穿孔手段設置孔４５；４５…は、載置板２３の中心を中心とする同一の円弧Ｒ上において、例えば中心角４０°の円弧の長さ分の所定間隔を隔てて９個設けられている。そして、
【００１７】
図３に示すように、例えば強制排水管６２の一端６３が穿孔手段設置孔４５を貫通して載置面２５よりも上方に位置されて支持部４１の下端側に連結されることによって、各穿孔手段設置孔４５；４５…にそれぞれ穿孔手段４が設置される。
強制排水管６２は、載置板２３の上面と中間板２２の下面との間の空間を通って載置部２の外側に延長するように設けられて、強制排水管６２の他端が強制排水装置６１としてのポンプの吸込口に連結される（図１参照）。
強制排水管６２の一端６３側は、ブラケット６４及び固定ねじ６５等により構成された固定手段６６によって、中間板２２に固定される。
尚、強制排水孔４３；４３…を備えた支持部４１の下端側に連結された強制排水管６２と強制排水装置６１とによって強制排水手段６が構成される。強制排水手段６により排水された水は、強制排水装置６１から延長する排水管を介して貯水槽や貯水池等の汚水処理部９９に送られる（図１参照）。
【００１８】
また、中間板２２の中心位置、即ち、載置板２３に形成された排水孔５１の真下位置には、中間板２２を貫通する下側排水孔５２が形成されている。
下側排水孔５２には、排水管５３の一端が連結され、当該排水管５３が中間板２２の下面と設置板２１の上面との間の空間を通って載置部２の外側に延長するように設けられて、当該排水管５３の他端が汚水処理部９９まで延長するように設けられている（図１参照）。
【００１９】
上側排水孔５１と下側排水孔５２とによって載置部２の排水孔５が構成され、当該排水孔５と排水管５３とで自然排水手段が構成され、自然排水される水は、汚水処理部９９に送られる（図１参照）。
また、例えば、下側排水孔５２の孔径が上側排水孔５１の孔径よりも大径に形成されており、廃棄物収容袋１０の底に穿孔された孔から流れ出す汚染水等の水が、上側排水孔５１を経由して下側排水孔５２に落下し、排水管５３を介して汚水処理部９９に送られる。
【００２０】
実施形態に係る廃棄物収容袋の水抜装置１によれば、廃棄物を収容した廃棄物収容袋１０の底が載置部２の載置面２５に載置される際に、廃棄物収容袋１０の底に穿孔手段４の先鋭部４２が突き刺さって廃棄物収容袋１０の底が穿孔されるとともに、支持部４１が廃棄物収容袋１０内に侵入する。
この状態で、強制排水装置６１としてのポンプ等を駆動して吸引することにより、廃棄物収容袋１０内の汚染水等の水が強制排水孔４３；４３…を介して強制排水されるとともに、穿孔手段４の先鋭部４２によって廃棄物収容袋１０の底に穿孔された孔より流下する水が排水孔５を介して自然排水されることになる。
強制排水された水、及び、自然排水された水は、汚水処理部９９に送られ、浄水処理される（図１参照）。
【００２１】
実施形態に係る廃棄物収容袋の水抜装置１によれば、複数の穿孔手段４；４…によって廃棄物収容袋１０の底に孔を開けるだけであるので、従来の破袋装置のように、廃棄物収容袋が破袋されて廃棄物収容袋１０内の水が周囲に勢いよく飛び散るようなことがなくなる。即ち、廃棄物収容袋１０内の水が周囲に飛び散らないように廃棄物収容袋１０内の水を抜くことができるようになる。
また、廃棄物収容袋１０内の水を強制排水する強制排水手段６を備えるので、廃棄物収容袋１０内の水の排水を速く行えるようになり、排水処理効率の良い水抜装置１を提供できる。
【００２２】
また、実施形態に係る廃棄物収容袋の水抜装置１を用いることで、水抜きしてから、破袋作業を行うことにより、廃棄物収容袋１０の破袋作業時の水の飛散を抑制できるようになる。即ち、廃棄物収容袋１０内の水抜作業を行った後に廃棄物収容袋１０の破袋作業を行うという方法により、安全な廃棄物処理を行えるようになる。
【００２３】
尚、上記では、強制排水手段６を備えた構成の水抜装置１を示したが、少なくとも自然排水手段を備えた構成の水抜装置であればよい。
【符号の説明】
【００２４】
１  水抜装置、２  載置部、３  周壁、４  穿孔手段、５  排水孔、
６  強制排水手段、４１  支持部、４２  先鋭部、４３；４３  強制排水孔。
【図１】
2019018125.tif 000003
【図２】
2019018125.tif 000004
【図３】
2019018125.tif 000005
【図４】
2019018125.tif 000006